(57)【特許請求の範囲】
【請求項１】
スピーカー（１１）の底面（１１ａ）を支持する水平の受板部材（２、２Ａ）と、この受板部材の底面側に所定間隔を有してかつ直交状態に固定される複数本のスピーカーの振動吸収用取付け脚（３、３Ｂ、３Ｃ）とから成るスピーカー用支持具であって、前記受板部材の中央部の前後及び左右にそれぞれメネジ穴（４ａ、４ａ、４ｂ、４ｂ）を形成し、これらのメネジ穴に前記取付け脚の上端部側のオネジ部（５）をそれぞれ螺着し、前記スピーカーの振動板（１３）の正弦波に起因する該スピーカーのキャビネット（１２）の前後方向の荷重の動き対応して前記前後の取付け脚がスピーカーからの振動を吸収すると共に、前記正弦波が０度、１８０度、３６０度の各場合には、前記左右の取付け脚が前記振動を吸収することを特徴とするスピーカー用支持具。
【請求項２】
請求項１に於いて、受板部材（２）に螺着する取付け脚（３）は、オネジ（５）を有する上端部（６）と、この上端部に鉛直方向に連続する下端部（７）とを有し、前記上端部の端面には工具用の第１係合部が形成され、さらに、前記下端部か、又は前記オネジの部分以外の部位のいずれかに工具用の第２係合部が形成されていることを特徴とするスピーカー用支持具。
【請求項３】
請求項１又は請求項２に於いて、受板部材（２Ａ）は、その裏面中央部の前後と左右にそれぞれ垂設状態に配設された合計４本の取付け脚（３）を有する連結板（２１）と、この連結板の上壁に固定された支持柱（２２）と、この支持柱の上端に固定されかつスピーカー用載置板（２３）とから成ることを特徴とするスピーカー用支持具。
【発明の詳細な説明】
【技術分野】
【０００１】
本発明はスピーカー用支持具に関し、特に、箱型のキャビネットを備えるスピーカーからの再生音を聴取するのに適するスピーカー用支持具に関する。
【背景技術】
【０００２】
特許文献１は、スピーカーの共振周波数を変えることができ、これに伴って音質の改善を図ることができるスピーカー支持構造を提案するものである。具体的には、「スタンド２の接触板３上に載置されたスピーカー１の天面１ｄを、天井８に取付け板６によって固定された支柱４の先端に係止された接触板３で押圧することによって、スピーカー１は天面１ｄと底面から圧縮力を受け、スピーカキャビネット１ａは剛性が高くなったのと等価となり、共振周波数等の固有値が変化し、且つ振動減衰特性が改善される構成（符号は公報記載のもの）」である。この特許文献１に記載のスピーカー支持構造は、要は、キャビネットを強固に支持することにより、スピーカーで生じる反作用力による上下方向の振動を抑制しようとするものであるが、スピーカー１を上下の支柱部材でサンドイッチ状に支持するものであるから、構造が複雑化すると共に、スピーカーの設置場所が限定されるという問題点がある。
【０００３】
特許文献２の第９図は、当業者の間で「スパイク」と称される取付け脚のねじヘッドを、円形の受板部材に三点（三つのポイト）に螺着するスピーカー用支持具が記載されている。普通一般に、スピーカーは載置板の隅角部の４つのポイト又は特許文献２に記載のように所定の三つのポイトで支持されている。その理由は、スピーカーを安定的に支持することができると共に、音響的フィードバックを可能な限り減少させるためである。
付言すると、当業者の間では、受板部材に所定間隔を有してかつ直交状態に固定される少なくとも３本以上の取付け脚は、スピーカーの重量を考慮しながら床面（ベース）に対する接触面積（接触点）を減らすと、音響の明確性と鮮明度が増すと認識されているからである。
【０００４】
したがって、特許文献２に記載のスピーカー用支持具も、音響の明確性と鮮明度を得るために、受板部材の各コーナーに四つの取付け脚を螺着するのではなく、載置台の底面側に三つの取付け脚を螺着することを前提にしている。
【０００５】
しかしながら、この特許文献２に記載のスピーカー用支持具は、筒状取付け脚ハンジング２と、この筒状取付け脚ハンジングの下部に嵌合する円盤状の接触プレート５と、該接触プレートの中央部で支持されるスパイクの下端部に固定されかつ筒状取付け脚ハンジング２の上部の環状部分に係止される鍔部を有する固定ボルト１から成るので、特許文献１と同様に構成が複雑化するという問題点がある（符号は公報記載のもの）。
【先行技術文献】
【特許文献】
【０００６】
【特許文献１】特開平７−７７７８号公報（第１図）
【特許文献２】特表平１１−５１０６５７号公報（第９図
【発明の概要】
【発明が解決しようとする課題】
【０００７】
本願発明の所期の目的は、床面に対して、スピーカーの振動の大きい方の前後の接触ポイトンを少なくすると、音の解像度（鮮明度）が広がり、いわゆる静けさがアップするという知見等に基づき、支持具の安定性、部材の組み合わせ容易性、音の解像度（鮮明度）の向上性をそれぞれ全て満たすことができるスピーカー用支持具を提供することである。
【課題を解決するための手段】
【０００８】
本発明のスピーカー用支持具は、スピーカー（１１）の底面（１１ａ）を支持する水平の受板部材（例えば２）と、この受板部材の底面側に所定間隔を有してかつ直交状態に固定される複数本のスピーカーの振動吸収用取付け脚（例えば３）とから成るスピーカー用支持具であって、前記受板部材の中央部の前後及び左右にそれぞれメネジ穴（４ａ、４ａ、４ｂ、４ｂ）を形成し、これらのメネジ穴に前記取付け脚の上端部側のオネジ部（５）をそれぞれ螺着し、前記スピーカーの振動板（１３）の正弦波に起因する該スピーカーのキャビネット（１２）の前後方向の荷重の動き対応して前記前後の取付け脚がスピーカーからの振動を吸収すると共に、前記正弦波が０度、１８０度、３６０度の各場合には、前記左右の取付け脚が前記振動を吸収することを特徴とする。
【発明の効果】
【０００９】
床面に対して、スピーカーの振動の大きい方の前後の接触ポイトンを少なくすると、音の解像度（鮮明度）が広がり、いわゆる静けさがアップするという知見等に基づき、支持具の安定性、部材の組み合わせ容易性、音の解像度（鮮明度）の向上性をそれぞれ全て満たすことができるスピーカー用支持具を得ることができる。
【図面の簡単な説明】
【００１０】
図１乃至図１１は本発明の第１実施例を示す各説明図。図１２及び図１３は本発明の第２実施例を示す各説明図。図１４及び図１５は本発明の第３実施例を示す各説明図。図１６及び図１７は本発明の第４実施例を示す各説明図。
【図１】スピーカーを載置した状態における正面視からの説明図。
【図２】スピーカーを載置した状態における右側面視からの説明図。
【図３】スピーカー用支持具の平面視からの説明図。
【図４】スピーカー用支持具の底面視からの説明図。
【図５】各部材の説明図。
【図６】取付け脚の構造を示す概略断面説明図。
【図７】取付け脚の取付け態様の一例を示す説明図。
【図８】スピーカー用支持具に対するスピーカーの反作用力を説明する説明図。
【図９】スピーカー本体（振動板）に０度〜１８０度の正弦波が入力した場合における取付け脚の機能の説明図。
【図１０】スピーカー本体（振動板）に１８０度〜３６０度の正弦波が入力した場合における取付け脚の機能の説明図。
【図１１】本発明の効果の説明図。
【図１２】本発明の第２実施例を示す斜視図。
【図１３】スピーカーを載置した状態における正面視からの説明図。
【図１４】本発明の第３実施例を示す斜視図。
【図１５】要部の概略断面説明図（図７と同様の図）。
【図１６】本発明の第４実施例を示す斜視図。
【図１７】要部の概略断面説明図（図７と同様の図）。
【発明を実施するための最良の形態】
【００１１】
まず、図１乃至図１１は本発明の第１実施例を示す各説明図である。これらの図中に於いて、１は箱型（ボックス状）のスピーカー１１を支持するスピーカー用支持具である。このスピーカー用支持具１の取付け脚は、当業者の間では「スパイク」と称されている。本実施例のスピーカー用支持具１は、スピーカー１１の底面１１ａを支持する水平の受板部材２と、この受板部材２の底面側に所定間隔を有してかつ直交状態に固定される合計４本のスピーカーの振動吸収用取付け脚３とから成るスピーカー用支持具であって、前記受板部材２の中央部の前後及び左右にそれぞれメネジ穴４ａ、４ａ、４ｂ、４ｂを形成し、これらのメネジ穴に前記取付け脚３の上端部のオネジ部５をそれぞれ螺着し、前記スピーカーの振動板１３の正弦波に起因する該スピーカーのキャビネット１２の前後方向の荷重の動き対応して前記前後の取付け脚がスピーカーからの振動を吸収すると共に、前記正弦波が０度、１８０度、３６０度の各場合には、前記左右の取付け脚が前記振動を吸収する（特徴部分）。
【００１２】
図１及び図２では、箱型のスピーカー１１を概念的に示している。周知のように、スピーカー１１は、普通一般に縦長箱型のキャビネット１２と、このキャビネット１２の前面の中央部の適宜箇所に設けられた単数又は複数個の振動板（スピーカー本体）１３とから成る。
【００１３】
図３はスピーカー用支持具の平面視からの説明図、一方、図４はスピーカー用支持具の底面視からの説明図である。これらの図に於いて、２は矩形板状の受板部材である。受板部材２の形状は特に問わないが、スピーカー１１の底面１１ａに対応して矩形板状に形成するのが望ましい。また、受板部材２の材質、板厚、幅等は、当業者が適宜に選定することができる事項である。さらに、受板部材２の上面２ａにゴム、フェルト等の緩衝シートを任意に敷設することもできる。
【００１４】
仮想線１１は、便宜上、スピーカー１１が前記上面２ａに載置されていることを表している。図３で示すように、受板部材２の中央部の前後及び左右にそれぞれメネジ穴４ａ、４ａ、４ｂ、４ｂを形成し、これらのメネジ穴に前記取付け脚３の上端部のオネジ部５をそれぞれ螺着している。ここで、「受板部材２の中央部」とは、望ましくは箱型スピーカー１１の重心を基準としたＸ−Ｘ１軸、Ｙ−Ｙ１軸、Ｚ−Ｚ１軸の交点（該近似点も含む）を通る、前記Ｘ−Ｘ１軸（左右方向）の中央部並びに前記Ｙ−Ｙ１軸（前後方向）の中央部をいい、図３及び図４で示すように、受板部材２に合計４本の取付け脚３をそれぞれ螺着すると、各取付け脚３を結ぶ線が平面視或いは底面視に於いて菱形状になる態様である。
【００１５】
付言すると、図１１で後述するように、前後の取付け脚３ａ、３ａをそれぞれ頂点とすると共に、左右の取付け脚３ｂ、３ｂを結ぶ線を共有底辺とする合計二つの三角形が、前記左右の取付け脚３ｂ、３ｂを結ぶ共有底辺の線を基準として受板部材２の前後方向に線対象となる態様である。
【００１６】
図５は、スピーカー用支持具１を構成する各部材の説明図である。この図５では、スピーカー用支持具１が、矩形状の受板部材２と、この受板部材２の底面２ｂ側から螺着される合計４本の取付け脚３から成ることを示している。ここで、図６を参照にして、取付け脚３の構造を説明する。
【００１７】
所定長の取付け脚３は、前述したオネジ５を有する上端部６と、この上端部に鉛直方向に連続するスパイク状の下端部７とを有し、前記上端部６の端面には工具用の第１係合部（例えば係入穴）８が形成され、一方、前記スパイク状下端部７は、逆円錐状（本実施例）あるいはラッパ状（特開２０１０−４１６４１号公報の図１）の外周面を有する。本実施例では、さらに、前記スパイク状下端部７より上方の部位には、小径の無ネジ部９と、該無ネジ部よりも大径のナット部分１０（第２係合部）がそれぞれ形成されている。
【００１８】
上記のように、本実施例の受板部材２に螺着する各取付け脚３は、オネジ５を有する上端部６と、この上端部に鉛直方向に連続する下端部７とを有し、前記上端部６の端面には工具用の凹所状第１係合部８が形成され、さらに、前記下端部７か、又は前記オネジ５の部分以外の部位のいずれかに工具用のナット状第２係合部１０が形成されている。
【００１９】
図７は、取付け脚３の取付け態様の一例を示す説明図である。前述したように、本実施例では、少なくとも受板部材２の各連結孔としてのメネジ４ａ、４ａ、４ｂ、４ｂに合計４本の取付け脚３の上端部をそれぞれ前後・左右の線対称の位置に螺合させることができるが、その場合、図７で示すように、各取付け脚３の各螺合部５を受板部材２の各メネジ孔４ａ（４ｂ）にそれぞれ嵌め合わせながら、六角レンチ、ドライバー等の工具１５の先を係合穴８に差し込み、該工具１５を矢印で示す方向へと回すと、取付け脚３はメネジ孔４ａ（４ｂ）内を自由に回転することができるので、受板部材２は取付け脚３の回転量に対応して相対的に下方へと位置変位する。なお、この場合、大径のナット部分１０に工具１５の先を係合させて、取付け脚３の高さを微調整することもできる。
【００２０】
図８は、スピーカー用支持具に対するスピーカーの反作用力を説明する説明図である。「受板部材２の中央部」の概念については前述した通りであるが、ここでは、図９乃至図１１も参照にして、本発明の効果について説明する。
【００２１】
まず、図８に於いて、Ｘ−Ｘ１軸は、受板部材２或いはスピーカー１１の左右中央部を通る水平軸線（たとえば受板部材２の左右の幅方向）で、ここでは説明の便宜上、符号Ｘは受板部材２或いはスピーカー１１の左側、符号Ｘ１は受板部材２或いはスピーカー１１の右側とする。
【００２２】
また、Ｙ−Ｙ１軸は、受板部材２或いはスピーカー１１の前後中央部を通る水平軸線（たとえば受板部材２の長さ方向）で、ここでは説明の便宜上、符号Ｙは受板部材２或いはスピーカー１１の前側、符号Ｙ１は受板部材２或いはスピーカー１１の後側とする。
さらに、Ｚ−Ｚ１軸は箱型スピーカー１１の重心（近似点も含む）を通る垂直軸線（たとえば受板部材２の厚さ方向）で、ここでは説明の便宜上、符号Ｚは受板部材２或いはスピーカー１１の上側、符号Ｚ１は受板部材２のスピーカー１１下側とする。
【００２３】
さて、スピーカー用支持具において、図１及び図２で示すように、スピーカー１１の前面に備わる振動板（スピーカー本体）１２が振動する方向を上記のＹ軸（前）方向になるようにスピーカー１１を受板部材２の上面２ａに載置すると、スピーカー本体１３での反作用によって生じるキャビネット１２の振動により、受板部材２および該受板部材２載置されたスピーカー１１は、Ｙ−Ｙ１軸方向に揺動する（いわばスピーカー１１の荷重は前後に動く）。このとき、スピーカー１１からの再生音声には、このＹ−Ｙ１軸方向の揺動共振周波数に相当する周波数、例えば１．０Ｈｚ以上１０．０Ｈｚ以下の極めて低い揺動共振周波数の音波が励起されていることが確認されると伴に、前記スピーカー１１の重心を基準として、スピーカー１１の振動の大きい方の前後のポイトンの数を少なくすると、音の解像度（鮮明度）が広がり、いわゆる静けさがアップするという事実を本発明者は知見した。
【００２４】
また、上記Ｙ−Ｙ１軸方向と直交するＸ−Ｘ１軸方向についての受板部材２の揺動は抑制される。普通一般に箱型（ボックス状）のスピーカー１１を受板部材（載置部）２で支持する場合に於いて、受板部材２のＹ−Ｙ１軸方向の揺動距離は、Ｘ−Ｘ１軸方向の揺動距離よりも長くなる。
【００２５】
また、Ｘ−Ｘ１軸方向における揺動共振周波数は、Ｙ−Ｙ１軸方向における揺動共振周波数よりも高い周波数となる事実も本発明者は知見した。
そこで、受板部材２に対する取付け脚（支持脚）３の本数を「合計４本」とし、これらの取付け脚３の取付けポイントに関して工夫すると、支持具１の安定性、部材の組み合わせの容易性、音の解像度（鮮明度）の向上性を全て満たすスピーカー用支持具１を得ることができる。
【００２６】
そこで、図９に於いて、Ｓｔｅｐ１は、振動板（スピーカー本体）１３に０度〜１８０度の正弦波Ｗが入力した場合を示す。この場合、スピーカー本体１３のＹ−Ｙ１軸方向における揺動共振周波数がＹ（前）方向へ動く。Ｓｔｅｐ２は、スピーカー本体１３がＹ（前）方向へ動くので、キャビネット１２が、スピーカー本体１３の反動によりＹ１（後）方向へ動くことを示す。Ｓｔｅｐ３は前記Ｓｔｅｐ２の結果を示す。このＳｔｅｐ３では、スピーカー１１（或いは受板部材２）の前側の取付け脚３ａに掛かっていた荷重がその後側の取付け脚３ａへと変位する。もちろん、スピーカーの重量如何によるが、極端に説明すると、スピーカー１１（キャビネット１２）の底面前側が浮くかの如くその荷重がスピーカー１１の底面後側へと移行するので、スピーカー１１の荷重が後側の取付け脚３ａに全て掛かる。したがって、Ｓｔｅｐ３で示すように、後側の取付け脚３ａに対してＺ１（下）方向の力が作用するので、後側の取付け脚３ａはスパイク効果（Ｚ１方向の振動吸収効果の１）を発揮する。
【００２７】
Ｓｔｅｐ４は、正弦波が（イ）点、すなわち、１８０度になったことを示す。この場合には、Ｘ−Ｘ１軸方向における揺動共振周波数が同様にＺ１（下）方向へ動く。したがって、正弦波が反転を開始する（イ）点でＸ−Ｘ１軸方向の振動を左右の取付け脚３ｂ、３ｂで落す（Ｚ１方向の振動吸収効果の２）。
【００２８】
次に、図１０に於いて、Ｓｔｅｐ５は、振動板（スピーカー本体）１３に１８０度〜３６０度の正弦波Ｗ１が入力した場合を示す。この場合、スピーカー本体１３のＹ−Ｙ１軸方向における揺動共振周波数がＹ１（後）方向へ動く。Ｓｔｅｐ６は、スピーカー本体１３がＹ１（後）方向へ動くので、キャビネット１２が、スピーカー本体１３の反動によりＹ（前）方向へ動くことを示す。付言すると、Ｓｔｅｐ５はＳｔｅｐ１と逆であり、また、Ｓｔｅｐ６等も、Ｓｔｅｐ２等と逆になる。
【００２９】
したがって、Ｓｔｅｐ７は、前記Ｓｔｅｐ６の結果を示す。このＳｔｅｐ７では、スピーカー１１（或いは受板部材２）の後側の取付け脚３ａに掛かっていた荷重がその前側の取付け脚３ａへと変位する。付言すると、スピーカーの重量如何によるが、極端に説明すると、スピーカー１１の底面後側が浮くかの如くその荷重がスピーカー１１の底面前側へと移行するので、スピーカー１１の荷重が前側の取付け脚３ａに掛かる。したがって、Ｓｔｅｐ７では、前側の取付け脚３ａに対してＺ１（下）方向の力が作用するので、前側の取付け脚３ａはスパイク効果（Ｚ１方向の振動吸収効果の３）を発揮する。
【００３０】
Ｓｔｅｐ８は、正弦波が（ロ）点、すなわち、３６０度になったことを示す。この場合には、Ｘ−Ｘ１軸方向における揺動共振周波数が同様にＺ１（下）方向へ動く。したがって、正弦波が反転を開始する（ロ）点でＸ−Ｘ１軸方向の振動を左右の取付け脚３ｂ、３ｂで落す（Ｚ１方向の振動吸収効果の４）。
【００３１】
図１１は本発明の効果の説明図である。この図に於いて、説明の便宜上、符号１１ａはスピーカー１１の底面、○印のＡ点は前述したＹ−Ｙ１軸線上における底面１１ａの中央部の前で、該Ａ点の位置は前側の取付け脚３ａの位置に対応する。
【００３２】
また、○印のＢ点は前述したＹ−Ｙ１軸線上における底面１１ａの中央部の後で、該Ｂ点の位置は後側の取付け脚３ａの位置に対応する。
【００３３】
さらに、○印の二つのＣ点・Ｃ点は、前述したＸ−Ｘ１軸線上における底面１１ａの中央部の左右で、これら左右のＣ点・Ｃ点は、左右の取付け脚３ｂ、３ｂの位置に対応する。
【００３４】
しかして、スピーカー本体１３に前述した１８０度〜３６０度の正弦波Ｗが入った場合は○印のＢ点（後側の取付け脚３ａの位置）でスピーカー１１の振動を逃がす。一方、スピーカー本体１３に１８０度〜３６０度の正弦波Ｗ１が入った場合は○印のＡ点（前側の取付け脚３ａの位置）でスピーカー１１の振動を逃がす。そして、正弦波Ｗ、Ｗ１が弧状曲線を描く「０度、１８０度、３６０度」の各場合には、○印のＣ点・Ｃ点（左右の取付け脚３ｂ、３ｂの位置）で前記振動を吸収する。
【００３５】
以上のように、本発明のスピーカー用支持具１は、図１及び図２で示すように、スピーカー１１の前面に備わる振動板（スピーカー本体）１３が振動する方向をＹ軸方向になるようにスピーカー１１を受板部材２の上面２ａに載置すると、スピーカー本体１３での反作用によって生じるキャビネット１２の振動により、受板部材２および該受板部材２載置されたスピーカー１１は、Ｙ−Ｙ１軸方向に揺動する（いわばスピーカー１１の荷重は前後に動く）のに対応して、前側で「１点」、後側で「１点」でそれぞれ振動を効果的に落とす（吸収する）ことができるので、本発明の目的を十分に得ることができる。
【実施例】
【００３６】
この欄では、本実施例の射程距離に含まれると考えられる他の実施例について説明する。なお、第１実施例と同一の部分には同一又は同様の符号を付して重複説明を割愛する。
【００３７】
まず、図１２及び図１３は本発明の第２実施例を示すスピーカー用支持具１Ａである。この第２実施例が前記第１実施例と主に異なる点は、該受板部材２Ａである。例えば図１２で示すように、受板部材２Ａは、その裏面中央部の前後と左右にそれぞれ垂設状態に配設された合計４の取付け脚３を有する連結板２１と、この連結板２１の上壁に固定された単数（本実施例）又は複数本の支持柱２２と、この支持柱の上端に固定されかつスピーカー用載置板２３とから成る。前記スピーカー用載置板２３の形状や大きさは、望ましくはスピーカーの底面と同様の形態である。
【００３８】
このように構成しても、受板部材２Ａの構成が変わるだけに過ぎないから、スピーカー用支持具１Ａは菱形状に配設された合計４つの取付け脚３により、ボックス状のスピーカー１１の底面中央部の前後及び左右を支持することができる。
【００３９】
次に、図１４及び図１５は本発明の第３実施例を示すスピーカー用支持具１Ｂである。この第３実施例が前記第１実施例と主に異なる点は、取付け脚３Ｂである。例えば図１５で示すように、この取付け脚３Ｂは、その下端部７Ｂがスパイク状ではなく、設置面が扁平状に形成されている。また、下端部７Ｂの設置面近傍或いは設置面部にナット状の第２係合部１０Ｂが形成されている。この取付け脚３Ｂは、床面等に対する接触面積が増えるものの、下端部７Ｂの設置面が扁平状に形成されているから床面等にキズを付けないという効果がある。
【００４０】
最後、図１６及び図１７は本発明の第４実施例を示すスピーカー用支持具１Ｃである。この第３実施例が前記第１実施例と主に異なる点は、取付け脚３Ｃである。例えば図１７で示すように、この取付け脚３Ｃは、その下端部７Ｃがスパイク状ではなく、設置面が球面（本実施例）或いは曲面になるように形成されている。したがって、この取付け脚３Ｃは、床面等に対する接触面積が増えず、また、下端部７Ｃの設置面が曲面状に形成されているから床面等にキズを付けないという効果がある。
【００４１】
なお、特に図示しないが、本発明の各実施例の受板部材（２、２Ａ）の各コーナー部に、転倒防止の柱等を適宜に加味しても良い。
【産業上の利用可能性】
【００４２】
本発明はスピーカーを製造・販売、展示、使用する場で利用される。
【符号の説明】
【００４３】
１、１Ａ、１Ｂ、１Ｃ…スピーカー用支持具、２、２Ａ…受板部材、３、３Ｂ、３Ｃ…振動吸収用取付け脚、４ａ、４ｂ…メネジ穴（連結孔）、５…オネジ部、６…上端部、７、７Ｂ、７Ｃ…下端部、８…第１係合部、１０、１０Ｂ…第２係合部、１１…スピーカー１１…キャビネット、１３…振動板（スピーカー本体）、２１…連結板、２２…支持柱、２３…スピーカー用載置板、Ｗ、Ｗ１…正弦波。
【図１】
0005456617.tif 000002
【図２】
0005456617.tif 000003
【図３】
0005456617.tif 000004
【図４】
0005456617.tif 000005
【図５】
0005456617.tif 000006
【図６】
0005456617.tif 000007
【図７】
0005456617.tif 000008
【図８】
0005456617.tif 000009
【図９】
0005456617.tif 000010
【図１０】
0005456617.tif 000011
【図１１】
0005456617.tif 000012
【図１２】
0005456617.tif 000013
【図１３】
0005456617.tif 000014
【図１４】
0005456617.tif 000015
【図１５】
0005456617.tif 000016
【図１６】
0005456617.tif 000017
【図１７】
0005456617.tif 000018